(57)【要約】【課題】誤嚥を効果的に抑制することができる飲用ストローを提供する。【解決手段】  液状物を摂取する飲用ストローであって、液状物が貯留される容器に一方端が浸漬される注入管と、弾性材料から形成される周壁部及び該周壁部で囲まれた内部空間を有し、該内部空間に前記注入管の他方端が連通接続される液状物供給部と、前記液状物供給部の内部空間に一方端が連通接続する放出管と、前記注入管と前記液状物供給部の内部空間との間に配置される第１逆止弁と、前記液状物供給部の内部空間と前記放出管の他方端との間に配置される第２逆止弁とを備え、前記液状物供給部は、押圧変形により内部空間の容積が変化可能に構成されており、前記内部空間の容積変化に伴い、該内部空間内に貯留される液状物が前記放出管の他方端から放出される飲用ストロー。【選択図】図１
2019126684.tif 000002
【特許請求の範囲】
【請求項１】
液状物を摂取する飲用ストローであって、
液状物が貯留される容器に一方端が浸漬される注入管と、
弾性材料から形成される周壁部及び該周壁部で囲まれた内部空間を有し、該内部空間に前記注入管の他方端が連通接続される液状物供給部と、
前記液状物供給部の内部空間に一方端が連通接続する放出管と、
前記注入管と前記液状物供給部の内部空間との間に配置される第１逆止弁と、
前記液状物供給部の内部空間と前記放出管の他方端との間に配置される第２逆止弁とを備え、
前記液状物供給部は、押圧変形により内部空間の容積が変化可能に構成されており、前記内部空間の容積変化に伴い、該内部空間内に貯留される液状物が前記放出管の他方端から放出される飲用ストロー。
【請求項２】
前記放出管の他方端は、管内流路を閉塞する閉塞部と、前記閉塞部に形成される複数の貫通孔とを備えていることを特徴とする請求項１に記載の飲用ストロー。
【請求項３】
前記閉塞部はドーム状に形成されており、
複数の前記貫通孔は、前記ドーム状の閉塞部の頂部を除いた領域の周方向に沿って配置されている請求項２に記載の飲用ストロー。
【請求項４】
前記液状物供給部は、前記注入管と連通接続する注入ポートと、前記放出管と連通接続する排出ポートとを備えており、
前記注入ポートの軸線と、前記排出ポートの軸線とは、同一軸上に形成されていないことを特徴とする請求項１から３のいずれかに記載の飲用ストロー。
【請求項５】
前記液状物供給部は、互いに対向配置される一対の側壁を三組有する角柱状に形成されており、
前記注入ポートは、一の側壁に設けられており、
前記排出ポートは、前記一の側壁に対向する他の側壁と、該他の側壁に隣接配置される第３の側壁との接続角部に設けられていることを特徴とする請求項１から４のいずれかに記載の飲用ストロー。
【請求項６】
周壁部表面には、突条が設けられていることを特徴とする請求項１から５のいずれかに記載の飲用ストロー。
【請求項７】
前記液状物供給部及び放出管は、口腔内に配置可能に構成され、
前記液状物供給部は、噛むことにより押圧変形可能に構成される請求項１から６のいずれかに記載の飲用ストロー。
【請求項８】
歯又は歯茎に設置される支持部材を更に備えており、
前記液状物供給部は、前記支持部材に固定可能に構成される請求項１から７のいずれかに記載の飲用ストロー。
【発明の詳細な説明】
【技術分野】
【０００１】
本発明は、飲用ストローに関する。特に誤嚥を効果的に抑制することができる飲用ストローに関する。
【背景技術】
【０００２】
例えば加齢や脳卒中等が原因となって口腔機能が低下すると、咀嚼力や嚥下のための力が衰えるため、食物や飲み物等を嚥下した際に誤って食物等が気管に入る現象（以下、この現象を「誤嚥」という。）が発生しやすくなる。この誤嚥によって誤嚥性肺炎が引き起こされるおそれもある。誤嚥性肺炎は高齢者の死因の上位を占めており、患者や高齢者の誤嚥を防ぐことは喫緊の課題となっている。
【０００３】
このような誤嚥を防止するため、介護や医療の現場では、水やお茶などの飲料や、味噌汁やスープなどの液体状の食品に、適度なゼリー状のとろみをつけて、安全に飲み込み易いように調整して食べさせる工夫がなされている。具体的には、水やお茶などの飲料等の液体状の食品にとろみをつけるには、澱粉や増粘多糖類などからなる粉末状のとろみ剤を、高齢者や身体障害者、寝たきりの患者等の嚥下機能が低下した人の状態に合わせて、分量を調整して溶かし合わせて、適度なゼリー状のとろみとなるように工夫されている。
【発明の概要】
【発明が解決しようとする課題】
【０００４】
上述のように水やお茶などの液体状の食品にとろみをつけることにより誤嚥を防止する方法は、誤嚥防止の観点から、一定の効果が認められるものの、患者等の嚥下機能が低下した人の状態に合わせてとろみの程度を個々に調整する必要があり、介護者や医療関係者の大きな負担になるという問題があった。
【０００５】
また、とろみをつけすぎると付着性が増し、かえって嚥下を困難にしてしまうという問題もあった。さらに、水やお茶を飲みたいと思う患者にとっては、澱粉や増粘多糖類などからなるとろみ剤の存在により清涼感が失われ、また、“飲む”という感覚とは異なり“食べる”という感覚で単に水分を補給しているだけにとどまり、ＱＯＬ（Quality of life）の観点からも更なる改善等が求められている。
【０００６】
本発明は、このような観点からなされたものであって、誤嚥を効果的に抑制することができる飲用ストローを提供することを目的とする。
【課題を解決するための手段】
【０００７】
本発明の上記目的は、液状物を摂取する飲用ストローであって、液状物が貯留される容器に一方端が浸漬される注入管と、弾性材料から形成される周壁部及び該周壁部で囲まれた内部空間を有し、該内部空間に前記注入管の他方端が連通接続される液状物供給部と、前記液状物供給部の内部空間に一方端が連通接続する放出管と、前記注入管と前記液状物供給部の内部空間との間に配置される第１逆止弁と、前記液状物供給部の内部空間と前記放出管の他方端との間に配置される第２逆止弁とを備え、前記液状物供給部は、押圧変形により内部空間の容積が変化可能に構成されており、前記内部空間の容積変化に伴い、該内部空間内に貯留される液状物が前記放出管の他方端から放出される飲用ストローにより達成される。
【０００８】
この飲用ストローにおいて、前記放出管の他方端は、管内流路を閉塞する閉塞部と、前記閉塞部に形成される複数の貫通孔とを備えていることが好ましい。
【０００９】
また、前記閉塞部はドーム状に形成されており、複数の前記貫通孔は、前記ドーム状の閉塞部の頂部を除いた領域の周方向に沿って配置されていることが好ましい。
【００１０】
また、前記液状物供給部は、前記注入管と連通接続する注入ポートと、前記放出管と連通接続する排出ポートとを備えており、前記注入ポートの軸線と、前記排出ポートの軸線とは、同一軸上に形成されていないことが好ましい。
【００１１】
また、前記液状物供給部は、互いに対向配置される一対の側壁を三組有する角柱状に形成されており、前記注入ポートは、一の側壁に設けられており、前記排出ポートは、前記一の側壁に対向する他の側壁と、該他の側壁に隣接配置される第３の側壁との接続角部に設けるように構成してもよい。
【００１２】
また、周壁部表面に、突条を設けるように構成してもよい。
【００１３】
また、前記液状物供給部及び放出管は、口腔内に配置可能に構成され、前記液状物供給部は、噛むことにより押圧変形可能に構成してもよい。
【００１４】
また、歯又は歯茎に設置される支持部材を更に備えており、前記液状物供給部は、前記支持部材に固定可能に構成されるように構成してもよい。
【発明の効果】
【００１５】
本発明によれば、誤嚥を効果的に抑制することができる飲用ストローを提供することができる。
【図面の簡単な説明】
【００１６】
【図１】本発明に係る飲用ストローの概略構成斜視図である。
【図２】図１の要部拡大断面図である。
【図３】（ａ）は、液状物供給部の斜視図、（ｂ）は、液状物供給部の平面図、（ｃ）は、液状物供給部の側面図である。
【図４】液状物供給部に設けられる注入ポートの断面図である。
【図５】液状物供給部に設けられる排出ポートの断面図である。
【図６】液状物供給部の変形例を示す断面図である。
【図７】（ａ）は、飲用ストローの変形例を示す概略構成要部拡大平面図であり、（ｂ）は、その断面図である。
【発明を実施するための形態】
【００１７】
以下、本発明の一実施形態にかかる飲用ストローについて、添付図面を参照して説明する。図１は、本発明に係る飲用ストロー１の概略構成斜視図であり、図２は、要部拡大断面図である。なお、図１においては、水やお茶、ジュース、スープ、ドリンクヨーグルト等の液状物が貯留される容器Ｚに、本発明にかかる飲用ストロー１を設置した状態が示されている。本発明に係る飲用ストロー１は、液状物を摂取するためのストローであって、図１や図２に示すように、注入管２と、液状物供給部３と、放出管４とを備えている。
【００１８】
注入管２は、一方端が、容器Ｚ内に貯留される液状物に浸漬されるとともに、他方端が液状物供給部３に連通接続されるチューブであり、容器Ｚ内の液状物を液状物供給部３に導く流路として機能するものである。この注入管２は、ハンドリングを良好にするという観点から可撓性を有することが好ましく、例えば、シリコーン樹脂、熱可塑性エラストマー等の樹脂材料から形成することが好ましい。注入管２の長さは、使用状況によって適宜設定されるものであるが、例えば、５０ｃｍ〜１５０ｃｍ程度の範囲に設定することが好ましい。また、注入管２は、内部を流通する液状物を視認できるようにするため、透明あるいは半透明に構成することが好ましい。なお、注入管２は、必ずしも可撓性を有する必要はなく、ステンレス等の金属材料や、硬質なプラスチック材料から形成してもよい。また、注入管２は、必ずしも透明や半透明に構成する必要もない。
【００１９】
液状物供給部３は、注入管２を介して導かれる液状物を放出管４側に供給するポンプとしての機能を発揮する部材であり、図２の断面図に示すように、弾性材料から形成される周壁部３１及び該周壁部３１で囲まれた内部空間３２を備えるように構成されている。液状物供給部３は、例えば、シリコーン樹脂、熱可塑性エラストマー等の樹脂材料から形成することが好ましい。また、液状物供給部３は、内部を貯留される液状物を視認できるようにするため、透明あるいは半透明に構成することが好ましい。この液状物供給部３は、図３（ａ）の斜視図や、図３（ｂ）の平面図、図３（ｃ）の側面図に示すように、互いに対向配置される一対の側壁を三組有する中空の角柱状に形成されている。本実施形態にかかる飲用ストロー１においては、液状物供給部３は、更に、注入ポート３３及び排出ポート３４を備えている。これら注入ポート３３及び排出ポート３４は、液状物供給部３と一体的となるように構成されている。なお、各側壁同士の接続部分は、曲面として構成されている。また、弾性材料から形成される周壁部３１及び該周壁部３１で囲まれた内部空間３２を備える部分が、押圧部を構成する。
【００２０】
注入ポート３３は、一の側壁３１ａの中央部に設けられており、液状物供給部３の内外を連通して構成されている。この注入ポート３３は、一の側壁３１ａから外側に向けて突出する筒状体として構成されている。上述の注入管２の他方端は、図４（ａ）の断面図に示すように、注入ポート３３に外装されて接続され、これにより、液状物供給部３の内部空間３２に注入管２の他方端が連通接続されることとなる。また、注入ポート３３の内側には、第１逆止弁５が設けられている。この注入管２と液状物供給部３の内部空間３２との間に配置される第１逆止弁５は、注入管２から導かれる液状物を液状物供給部３の内部空間３２側に流入可能とする一方、該内部空間３２から注入管２側への逆流を防止する弁体である。
【００２１】
排出ポート３４は、注入ポート３３と同様に液状物供給部３の内外を連通し、液状物供給部３から外側に向けて突出する筒状体として構成されている。この排出ポート３４には、図５の断面図に示すように、放出管４の一方端が外装されて接続される。これにより、液状物供給部３の内部空間３２に放出管４の一方端が連通接続される。また、排出ポート３４は、注入ポート３３が設けられる一の側壁３１ａに対向する他の側壁３１ｂと、該他の側壁３１ｂに隣接配置される第３の側壁３１ｃとの接続角部に設けられており、図２の断面図に示すように、注入ポート３３の軸線Ｌ１と、排出ポート３４の軸線Ｌ２とが、同一軸上に形成されないように、所定角度ずれて構成されている。なお、注入ポート３３の軸線Ｌ１と、排出ポート３４の軸線Ｌ２とが、同一軸上に形成されないように構成する場合には、注入ポート３３の軸線Ｌ１と排出ポート３４の軸線Ｌ２とのなす角度θは、例えば、９０度以上１８０度未満の範囲に設定することが好ましい。また、角度θとしては、１００度以上１７０度以下の範囲に設定することがより好ましい。
【００２２】
なお、図２においては、排出ポート３４が、注入ポート３３が設けられる一の側壁３１ａに対向する他の側壁３１ｂと、該他の側壁３１ｂに隣接配置される第３の側壁３１ｃとの接続角部に設けられているが、このような位置に限定されるものではなく、図６の断面図に示すように、注入ポート３３が設けられる一の側壁３１ａ、及び、当該一の側壁３１ａに対向する他の側壁３１ｂ以外の側壁上に排出ポート３４を設けるように構成してもよい。
【００２３】
ここで、液状物供給部３は、弾性材料から形成される周壁部３１及び該周壁部３１で囲まれた内部空間３２を備えるように構成されているため、該液状物供給部３は、押圧することにより変形して内部空間３２の容積が変化可能に構成される。つまり、液状物供給部３を押圧することにより、内部空間３２の容積が減少するように液状物供給部３が変形する。一方、液状物供給部３に対する押圧力を解除することにより、弾性変形によって内部空間３２の容積が増加して、液状物供給部３が元の形状に戻る。
【００２４】
放出管４は、液状物供給部３に導かれた液状物を吐出するパイプ状の部材であり、その一方端が液状物供給部３の内部空間３２に連通接続している。より具体的には、図２や図５に示すように、液状物供給部３に設けられる排出ポート３４に放出管４の一方端を外装して接続することにより、放出管４の一方端と液状物供給部３の内部空間３２とが連通接続している。この放出管４の他方端には、管内流路を閉塞するドーム状の閉塞部４１が設けられており、当該閉塞部４１には、複数の貫通孔４２が形成されている。複数の貫通孔４２は、ドーム状の閉塞部４１の頂部を除いた領域の周方向に沿って配置されている。この放出管４は、例えば、シリコーン樹脂、熱可塑性エラストマー等の樹脂材料から形成することが好ましい。また、放出管４は、内部の液状物を視認できるようにするため、透明あるいは半透明に構成することが好ましい。また、閉塞部４１に形成される各貫通孔４２の直径寸法は、特に限定されないが、例えば、直径が０．３ｍｍ〜３ｍｍの範囲の貫通孔４２を形成することが好ましい。また、貫通孔４２の個数も、特に限定されないが、放出管４から吐出される液状物が、放射状に放出されるように各貫通孔４２の形成位置を設定することが好ましい。また、各貫通孔４２は、その全域（貫通孔４２の長手方向に沿った全域）において同一直径となるように構成してもよく、あるいは、出口側の直径と入口側の直径とが異なる寸法、例えば、出口側の直径が入口側の直径よりも大きくなるように構成し、テーパー状の貫通孔として構成してもよい。また、放射状に各貫通孔４２を配列する場合、図５に示すように、放出管４の長手方向に沿って複数列並ぶように各貫通孔４２を形成することがより好ましい。
【００２５】
また、放出管４の管内流路には、第２逆止弁６が設けられている。この液状物供給部３の内部空間３２と放出管４の他方端との間に配置される第２逆止弁６は、液状物供給部３の内部空間３２に貯留される液状物を放出管４の他方端側に導出可能とする一方、該放出管４の他方端側から液状物供給部３の内部空間３２側への逆流を防止する弁体である。
【００２６】
また、第１逆止弁５及び第２逆止弁６は、液状物が一方向にのみ流通可能となり逆流を防止できる構成のものであればその具体的構造は特に限定されないが、例えば、医療機器分野で使用されるスリット弁やバタフライ弁等を好適に用いることができる。
【００２７】
ここで、本実施形態にかかる飲用ストロー１は、液状物供給部３及び放出管４が、患者等の口腔内に配置可能な大きさに構成されており、液状物供給部３は、噛むことにより押圧変形可能に構成される。なお、液状物供給部３及び放出管４の全体が口腔内に完全に配置されるように構成する必要はなく、放出管４の全体と、液状物供給部３の一部分が口腔内に配置されるように構成してもよい。また、本出願においては、“噛む”の概念には、口腔内で上顎と下顎との間で液状物供給部３を挟み込んで圧縮することや、舌で液状物供給部３を押圧して圧縮する概念を含む。
【００２８】
次に、上記構成の飲用ストロー１の使用方法について、介護者や医療関係者が、患者に水分補給させる場合を例にとり説明する。まず、介護者等は、図１に示すように、注入管２の一方端を、水やお茶等の液状物が貯留される容器Ｚ内に挿入して該液状物に浸漬させて設置する。注入管２の設置作業に際しては、注入管２が容器Ｚから脱落しないように、別途適宜な固定具により注入管２を固定することが好ましい。その後、介護者は、手指で液状物供給部３の押圧と押圧解除を複数回繰り返して行う。液状物供給部３に対する押圧と押圧解除を繰り返すたびに、液状物供給部３の内部空間３２内にある空気は、放出管４の他方端に形成される複数の貫通孔４２から外部に放出されると共に、容器Ｚ内の液状物が吸い上げられて注入管２を介して液状物供給部３の内部空間３２内や放出管４内に貯留されることとなる。
【００２９】
液状物供給部３の内部空間３２内や放出管４内に液状物が貯留された段階で、介護者等は、液状物供給部３及び放出管４を患者の口腔内に導き入れて配置する。この時、例えば、奥歯領域で液状物供給部３を挟んで噛むことができるように、液状物供給部３及び放出管４の全体を口腔内に配置してもよく、或いは、奥歯と前歯との間の領域で液状物供給部３を挟んで噛むことができるように、放出管４の全体及び液状物供給部３の一部を口腔内に導き入れるように配置してもよい。
【００３０】
その後、患者が、液状物供給部３を噛むことによって押圧変形させることにより、液状物供給部３の内部空間３２内に導かれて貯留された液状物が、第２逆止弁６を介して放出管４の複数の貫通孔４２から口腔内に放出され、放出された液状物を患者が嚥下する。なお、患者が、液状物供給部３に対する噛むことによる押圧動作を解除する（噛むことをやめる）ことにより、液状物供給部３は、自身の弾性変形によって元の形状に戻り（復元変形）、その際に、注入管２内の液状物が第１逆止弁５を介して内部空間３２内に導き入れられることになる。その後、再び患者が液状物供給部３を噛むことにより液状物を摂取することが可能となる。
【００３１】
このように本発明にかかる飲用ストロー１は、患者等が、噛む動作（咀嚼動作）を利用して液状物を嚥下できるように構成したものである。ここで、噛むという動作は、物を嚥下する際に極めて重要な動作であり、上下顎の歯が噛まれていない場合（歯が無い場合には、上下の歯茎があわさっていない場合）は、顎が不安定な状態となり、上手く嚥下することが困難となってしまう。本発明に係る飲用ストロー１は、飲料等を嚥下する際に重要な動作である噛むという動作を使用者が自然と行うことができるように構成されたものであり、換言すると、噛む動作を行わなければ得液状物を摂取することができないように構成されたものであり、単に従来からあるストローを用いて液状物を吸引して摂取する場合よりも誤嚥の発生を極めて効果的に防止することができる。
【００３２】
また、本実施形態にかかる飲用ストロー１においては、液状物供給部３に設けられる注入管２ポートの軸線Ｌ１と、排出ポート３４の軸線Ｌ２とが、同一軸上に形成されていない。このような構成により、口の外側に配置される注入管２に接続される液状物供給部３及び放出管４を口腔内に配置した際に、奥歯領域で液状物供給部３を挟み込みつつ、放出管４を舌の上側に配置させることができ、液状物供給部３や放出管４（特には、放出管４）が口腔内で邪魔になることを効果的に防止することができ、使用者の使用感を良好なものとすることが可能となる。
【００３３】
また、本実施形態にかかる飲用ストロー１においては、放出管４の他方端に管内流路を閉塞する閉塞部４１を設け、当該記閉塞部４１に複数の貫通孔４２を形成するように構成しているため、液状物供給部３に対する押圧によって吐出される液状物が、一カ所に向けてではなく複数の方向に向けて流出することとなる。このような構成によって、放出管４から吐出される液状物が、一気に気管側に流れていくことを防止することができ、誤嚥を効果的に抑制することが可能となる。特に、本実施形態に係る飲用ストロー１は、放出管４のドーム状の閉塞部４１（先端部）に放射状に配置される複数の貫通孔４２を備えているため、口腔内の広い範囲にわたって液状物を流出させることができ、誤嚥をより一層効果的に抑制することが可能となる。更に、本実施形態に係る飲用ストロー１においては、図５に示すように、放射状に配列される貫通孔４２群が、放出管４の長手方向に沿って複数列並ぶように構成されているため、口腔内のより広い範囲にわたって液状物が流出することとなるため、誤嚥をより一層効果的に抑制することが可能となる。
【００３４】
また、本実施形態に係る飲用ストロー１は、放出管４のドーム状の閉塞部４１に複数の貫通孔４２が設けられているが、ドーム状の閉塞部４１の頂部には貫通孔４２を設けないように構成している。このような構成により、放出管４から吐出される液状物が直接的に気管の奥に向けて噴き出ることを防止することができ、誤嚥が発生することや、患者等がむせて苦しむことを効果的に抑制することができる。
【００３５】
以上、本発明の一実施形態に係る飲用ストロー１について説明したが、飲用ストロー１の具体的構成は、上記実施形態に限定されない。例えば、上記実施形態においては、放出管４が、その他方端にドーム状の閉塞部４１を備え、該ドーム状の閉塞部４１の頂部を除いた領域の周方向に沿って、複数の貫通孔４２を設けるように構成しているが、貫通孔４２を頂部に設けるように構成してもよい。また、閉塞部４１の構成としてドーム状に限定されるものではなく、種々の形態として閉塞部４１を構成してもよい。また、貫通孔４２は、ドーム状の閉塞部４１に形成されているが、例えば、ドーム状に閉塞部４１以外の領域に貫通孔４２を設けるように構成してもよい。
【００３６】
また、上記実施形態においては、放出管４が複数の貫通孔４２を備えるように構成しているが、このような構成に限定されず、単一の貫通孔４２を備えるように構成してもよい。
【００３７】
また、上記実施形態においては、複数の貫通孔４２を放射状に配列しているが、例えば、口蓋方向に向けてのみ液状物が放出されるよう構成するために、口蓋方向に向く貫通孔４２のみを複数形成するように構成してもよい。また、例えば、口蓋方向に向く各貫通孔４２の孔径を大きく構成すると共に、口蓋方向とは反対側を向く各貫通孔４２の孔径を小さく構成し、放射状に放出される液状物の流量に差をもたせるように構成してもよい。
【００３８】
また、上記実施形態においては、液状物供給部３が備える注入ポート３３の軸線Ｌ１と、排出ポート３４の軸線Ｌ２とが、同一軸上に形成されないように構成されているが、例えば、図７（ａ）の概略構成要部拡大平面図に示すように、注入ポート３３の軸線Ｌ１と、排出ポート３４の軸線Ｌ２とが、同一軸上となるように構成してもよい。
【００３９】
また、上記図７（ａ）に示すように、液状物供給部３における周壁部３１表面に、突条７を設けるように構成してもよい。この突条７は、図７（ａ）の中央部における断面図（液状物供給部３における断面図）である図７（ｂ）に示すように、互いに対向する一対の側壁の両表面に複数設けられている。なお、突条７の本数は、単一でも複数でもよい。このような突条７を設けることにより、噛んで押圧する液状物供給部３が、口腔内で滑ることを効果的に防止することができ、また、液状物供給部３の強度を向上させることができるという効果も発揮する。また、使用者である患者等の口腔内に液状物供給部３を導き入れて設置する介護者や、使用者である患者自身にとっては、突条７を手掛かりにして、口腔内での液状物供給部３の設置向きが識別しやすくなるという効果も発揮する。なお、突条７を設ける構成は、図１〜図６に示す形態の液状物供給部３に対しても適用可能であることは言うまでもない。
【００４０】
また、例えば、液状物供給部３を構成する側壁の一部の表面に、歯や歯茎の表面の形状に適合する凹部を形成するように構成してもよい、このような凹部を液状物供給部３の表面に形成することにより、口腔内に液体物供給部を設置する場合に、歯や歯茎の表面に液体物供給部における該凹部をあてがって配置でき、口腔内での液状物供給部３の位置ずれを生じにくくすることができ、また、噛んで液状物を摂取する患者の使用感をより一層良好なものにすることができる。
【００４１】
また、本発明にかかる飲用ストロー１に関し、歯又は歯茎に設置される支持部材を更に備え、液状物供給部３が、支持部材に固定可能となるように構成することもできる。支持部材の構造としては、種々の構造を採用可能であるが、例えば、マウスピースのように、歯や歯茎の表面を被覆して嵌め込み可能な構造を備えるように構成することが好ましい。また、支持部材に対する液状物供給部３の固定方法も様々な手法を採用することができるが、例えば、支持部材の表面に突起体を形成すると共に、液状物供給部３の表面に、該突起体と嵌合する窪み部を設け、支持部材上に液状物供給部３を嵌合して固定できるような構成を挙げることができる。
【００４２】
また、上記実施形態に係る飲用ストロー１は、液状物供給部３及び放出管４を口腔内に配置して、液状物供給部３を噛むことにより液状物を摂取可能とする構成であるが、このような構成に特に限定されない、例えば、使用者が、液状物供給部３を手指で摘まんで押圧することにより液状物を摂取できるように構成してもよい。このように手指で液状物供給部３を押圧して液状物を摂取する場合には、放出管４の先端部（閉塞部４１周辺領域）を患者等が咥えて使用することができるように、放出管４を例えば、１０ｃｍ〜１００ｃｍ程度の長尺状に構成すればよい。なお、手指で液状物供給部３を摘まんで押圧できるように構成する代わりに、机等の台と腕との間で液状物供給部３を挟んで該液状物供給部３を押圧できるように構成してもよく、或いは、肘の内側で液状物供給部３を挟み込んで押圧できるように構成してもよい。このように、液状物供給部３を噛まずに手指で押圧等して液状物を放出管から流出させるように構成する場合には、ハンドリングを良好にするという観点から放出管が可撓性を有するように構成することが好ましい。
【符号の説明】
【００４３】
１  飲用ストロー
２  注入管
３  液状物供給部
３１  周壁部
３２  内部空間
３３  注入ポート
３４  排出ポート
４  放出管
４１  閉塞部
４２  貫通孔
５  第１逆止弁
６  第２逆止弁
７  突条
Ｚ  容器
【図１】
2019126684.tif 000003
【図２】
2019126684.tif 000004
【図３】
2019126684.tif 000005
【図４】
2019126684.tif 000006
【図５】
2019126684.tif 000007
【図６】
2019126684.tif 000008
【図７】
2019126684.tif 000009